(57)【特許請求の範囲】
【請求項１】
剣先ボルトと締め付けナットで固定される下葺折板の頂部に載置される下金具と、該下金具に対して該下金具の固定後に結合されて上葺折板を支持する上金具を有する屋根板取付金具であって、
前記下金具が、前記下葺折板の頂部に面接触する接地面部と、該接地面部の左右方向両側から接地面部の前後方向の長さと同じ長さで上方に立設する立設部を有し、
前記接地面部の中央部には、上方へ膨らむ膨出加工部が形成され、
該膨出加工部の中心に前記剣先ボルトを挿通する挿通孔が設けられて、該挿通孔の周囲に、前記下金具を固定するときに前記締め付けナットで締め付けられる被締め付け部を有し、
前記接地面部の前後方向の両端には、前記立設部よりも前後方向に突出して前記下葺折板の頂部に面接触する延設部が形成され、
前記上金具が、前記立設部と結合する結合脚部と、前記上葺折板として馳締め式の上葺折板を係止するために前後方向に延びる吊子を固定する係止部材固定部を備え、
前記立設部と結合脚部に、これら同士が左右方向で噛み合って上下方向での抜け止めをする結合部が形成され、
該結合部が、前記立設部または結合脚部の前後方向の長さ全体にわたって延びる凹溝と、該凹溝に嵌まる凸部で構成されて、前記下金具に対して前記上金具を前後方向から差し込んだ時に係合する構造であるとともに、
前記上金具を差し込んだ後に上から下へ移動して前記立設部と結合脚部の双方に接して前後方向での抜け止めをするロック部材を備えた
屋根板取付金具。
【請求項２】
前記ロック部材が、前記上金具に取付けられ、前記上金具を差し込むと下に移動可能なものである
請求項１に記載の屋根板取付金具。
【請求項３】
前記ロック部材が、前記下金具および上金具と別部材であり、下金具および上金具に形成された貫通孔に差し込まれるものである
請求項１に記載の屋根板取付金具
【請求項４】
前記上葺折板から前記下金具への熱伝導を遮断する断熱部材が備えられた
請求項１から請求項３のうちのいずれか一項に記載の屋根板取付金具。
【請求項５】
前記吊子が、前後方向に移動可能である
請求項１から請求項４のうちのいずれか一項に記載の屋根板取付金具。
【請求項６】
請求項１から請求項５のうちのいずれか一項に記載の屋根板取付金具が用いられた
折板屋根。
【発明の詳細な説明】
【技術分野】
【０００１】
この発明は、剣先ボルトで固定された下葺折板の上に上葺折板を葺成する二重折板屋根に関し、より詳しくは、折板の飛散を抑制できるような屋根板取付金具に関する。
【背景技術】
【０００２】
剣先ボルトを有するタイトフレーム上に固定された下葺折板の上に、空間を介して上葺折板が固定される二重折板屋根が知られている。この二重折板屋根において、上葺折板を固定するために用いられる屋根板取付金具としては、例えば下記特許文献１のような金具がある。
【０００３】
この金具は、特許文献１の図１、図７（Ｂ）に示されているように、下部側支持部と、この下部側支持部の上に固定された上部側支持部で構成されている。前記下部側支持部は、タイトフレームの剣先ボルトに螺合する長ナットを備えており、前記剣先ボルトで下葺折板に孔をあけて下葺折板を配設したとき下葺折板の頂部から上に突出する前記剣先ボルトに対して、螺合により固定される。
【０００４】
下部側支持部は長ナットの周囲に断熱のための合成樹脂を有するものの、全体としては略円柱状の形をなすものである。また、下部側支持部と上部側支持部は、剣先ボルトと同様に下から上に向けて延びるボルトで固定されている。
【０００５】
ところで、金属板からなる折板屋根は、日差し等により生じる温度変動で折板の長さ方向（前後方向）に伸縮する。この伸縮に伴って音がなるので、特許文献１では、所定厚の非金属性軟質材を介在させて弾性等により振動を吸収させる構造を採用している。
【０００６】
しかし、折板屋根の伸縮は休みなく起こる。特許文献１の構成では、上葺折板が伸縮すると、上葺折板の前後方向の動きが上部側支持部を介して下部側支持部に伝達され、上部側支持部、下部側支持部共に前後方向に傾く負荷を受ける。
【０００７】
このとき、上部側支持部と下部側支持部の間の固定と、下部側支持部の固定は、下から上に延びるボルトで行われているので、これらのボルトには、前後方向に傾く力がかかる。しかも、下部側支持部を固定している剣先ボルトは、下部側支持部が略円柱状の形をなすので傾きやすい。その上、剣先ボルトの下端を支点と仮定すると、力点に相当する上葺折板の位置が遠いので、倍力機構のように小さな力でも大きな力が作用する。この力は剣先ボルトにとっては負荷である。このため、特に剣先ボルトには、上葺折板の伸縮によって絶え間ない負荷がかかることになり、剣先ボルトが次第に金属疲労を起こしてしまう。これは、固定強度の低下を意味する。
【０００８】
以前から、台風の被害を受けたときに負圧によって折板屋根が捲れ上がったり飛散したりすることがあったが、これの原因には、前記の金属疲労に起因する剣先ボルトの破断がある。
【０００９】
下記特許文献２には、主に老朽化した折板屋根の改修に用いられるものであるが、剣先ボルトを利用せずに固定される金具が開示されている。
【００１０】
これは、上タイトフレームと補強部材とからなり、上タイトフレームの下端部には、下葺折板の頂部の両側から下がる傾斜部に固定される取付座部が設けられ、この取付座部を、下葺折板を固定しているタイトフレームに対してセルフドリルビスで固定するというものである。
【００１１】
上タイトフレームの内側には、略Ｕ字状をなす前記補強部材が固定され、補強部材の下端には、下葺折板の頂部に載る下板部が形成されている。この下板部は、剣先ボルトの挿入を許容する大きな穴である被挿入部を有し、剣先ボルトやこれに螺合するナットとは非接触である。
【００１２】
しかし、この構成では、下葺折板に対する固定に複数本のセルフドリルビスを用いるので、作業が面倒であるとともに、下葺折板の上からでは視認できないタイトフレームに対して左右両側においてそれぞれ固定を行うので、左右均等に正しく固定されないおそれが高い。
【００１３】
また、前記補強部材は下板部を有するものの、下板部は補強目的で剣先ボルトの極限られた周囲に置かれた状態にあるだけで、直接積極的に固定されてはいない。このため、金具下端の取付座部から遠い上葺折板位置から作用する力に対する抵抗力は弱く、あくまでもセルフドリルビスの固定力に頼るだけであり、固定強度は必ずしも高いとは言えない。
【先行技術文献】
【特許文献】
【００１４】
【特許文献１】特開２００５−２９９１９９号公報
【特許文献２】実用新案登録第２５２４３６６号公報
【発明の概要】
【発明が解決しようとする課題】
【００１５】
そこで、この発明は、固定強度を確保して折板屋根の飛散等を防止できるようにすることを主な目的とする。
【課題を解決するための手段】
【００１６】
そのための手段は、剣先ボルトと締め付けナットで固定される下葺折板の頂部に載置される下金具と、該下金具に対して該下金具の固定後に結合されて上葺折板を支持する上金具を有する屋根板取付金具であって、前記下金具が、前記下葺折板の頂部に面接触する接地面部と、該接地面部の左右方向両側から接地面部の前後方向の長さと同じ長さで上方に立設する立設部を有し、前記接地面部の中央部には、上方へ膨らむ膨出加工部が形成され、該膨出加工部の中心に前記剣先ボルトを挿通する挿通孔が設けられて、該挿通孔の周囲に、前記下金具を固定するときに前記締め付けナットで締め付けられる被締め付け部を有し、前記接地面部の前後方向の両端には、前記立設部よりも前後方向に突出して前記下葺折板の頂部に面接触する延設部が形成され、前記上金具が、前記立設部と結合する結合脚部と、前記上葺折板として馳締め式の上葺折板を係止するために前後方向に延びる吊子を固定する係止部材固定部を備え、前記立設部と結合脚部に、これら同士が左右方向で噛み合って上下方向での抜け止めをする結合部が形成され、該結合部が、前記立設部または結合脚部の前後方向の長さ全体にわたって延びる凹溝と、該凹溝に嵌まる凸部で構成されて、前記下金具に対して前記上金具を前後方向から差し込んだ時に係合する構造であるとともに、前記上金具を差し込んだ後に上から下へ移動して前記立設部と結合脚部の双方に接して前後方向での抜け止めをするロック部材を備えた屋根板取付金具である。
【００１７】
課題を解決するための別の手段は、前記屋根板取付金具が用いられた折板屋根である。
【００１８】
前記の構成では、下金具が剣先ボルトに螺合された締め付けナットで締め付けられて、その接地面部が下葺折板の頂部に圧接する。同時に、接地面部から延びる延設部も下葺折板の頂部に圧接する。
【００１９】
このような下金具の立設部と結合する結合脚部を備えた上金具は、結合部により下金具との間で結合し、上下方向での一体性を保つ。この状態で、係止部材によって前記上葺折板を係止し、支持する。
【００２０】
係止部材が上葺折板の伸縮により前後方向に移動する負荷を受けたときには、結合部を介して負荷が下金具に伝達され、下金具は下葺折板とこれを固定している剣先ボルト等に対して一体的となり、負荷を全体で受ける。
【００２１】
なお、前記「結合」とは、合わさって一つになることの意味で、結合部において前後方向に相対移動することも含む意味である。
【００２２】
また、前記「左右方向で噛み合って」とは、左右方向の凹凸によって嵌まり合う状態を意味する。
【発明の効果】
【００２３】
この発明によれば、下金具は下葺折板に対して接地面部と延設部で面接触して、剣先ボルトにかかる負荷を小さくするので、剣先ボルトの金属疲労により固定強度が低下することを抑制できる。このため、折板屋根の捲れ上がりや飛散の発生を抑えることができる。
【００２４】
また、下金具の固定は、下葺折板を固定する剣先ボルトに対する締め付けナットの螺合で行えるので、作業は容易であり、確実でもある。しかも、締め付けナットによって締め付けられる被締め付け部は、下金具の中央部に形成されているので、前後左右において均等に固定できる。
【図面の簡単な説明】
【００２５】
【図１】折板屋根の断面図。
【図２】図１の折板屋根に用いる屋根板取付金具の斜視図。
【図３】屋根板取付金具の分解斜視図。
【図４】折板屋根の取付金具部分での断面図。
【図５】折板屋根の断面図。
【図６】屋根板取付金具の取り付け工程の一部を示す斜視図。
【図７】屋根板取付金具の取り付け工程の一部を示す斜視図。
【図８】屋根板取付金具の取り付け工程の一部を示す斜視図。
【図９】他の例に係る屋根板取り付け金具の斜視図。
【図１０】図９の屋根板取付け金具を用いた折板屋根の断面図。
【図１１】図９の屋根板取付金具の取り付け固定の一部を示す斜視図。
【図１２】他の例に係る屋根板取り付け金具の斜視図。
【図１３】図１２の屋根板取付け金具を用いた折板屋根の断面図。
【図１４】図１２の屋根板取付金具の取り付け固定の一部を示す斜視図。
【図１５】他の例に係る屋根板取り付け金具の斜視図。
【図１６】図１５の屋根板取付け金具を用いた折板屋根の断面図。
【図１７】図１５の屋根板取付金具の取り付け固定の一部を示す斜視図。
【図１８】他の例に係る屋根板取り付け金具の斜視図。
【図１９】図１８の屋根板取付け金具を用いた折板屋根の断面図。
【図２０】図１８の屋根板取付金具の取り付け固定の一部を示す斜視図。
【図２１】図１８の屋根板取付金具における上金具の分解斜視図。
【図２２】図１８の屋根板取付金具における本体部材の一部破断斜視図。
【図２３】図１８の屋根板取付金具の取り付け固定の一部を示す側面図。
【図２４】他の例に係る屋根板取り付け金具の斜視図。
【図２５】図２４の屋根板取付け金具を用いた折板屋根の断面図。
【図２６】図２４の屋根板取付金具の取り付け固定の一部を示す斜視図。
【図２７】他の例に係る屋根板取り付け金具の斜視図。
【図２８】図２７の屋根板取付け金具を用いた折板屋根の断面図。
【図２９】図２７の屋根板取付金具の取り付け固定の一部を示す斜視図。
【図３０】他の例に係る屋根板取り付け金具の斜視図。
【図３１】図３０の屋根板取付け金具を用いた折板屋根の断面図。
【発明を実施するための形態】
【００２６】
この発明を実施するための一形態を、以下図面を用いて説明する。  
図１は折板屋根１１の断面図、図２はその折板屋根１１に用いる屋根板取付金具２１（以下「取付金具」という。）の斜視図、図３はその取付金具２１の分解斜視図、図４は折板屋根１１の取付金具２１部分での断面図である。
【００２７】
これらの図に示すように、取付金具２１は下葺折板１２の上に固定されて上葺折板１３を支持するものである。前記下葺折板１２はタイトフレーム１４に固定され、前記取付金具は、そのタイトフレーム１４の頂部に立設された剣先ボルト１５によって固定されている。
【００２８】
この取付金具２１は、下葺折板１２の頂部に載置固定される下金具３１と、この下金具３１に結合されて上葺折板１３を支持する上金具４１を有する。
【００２９】
下金具３１は図３に示したように、金属板をプレス加工して得た１個の部材で構成されている。下金具３１は、前記下葺折板１２の平らな頂面１２ａに面接触する接地面部３２と、この接地面部３２の左右方向両側から上方に立設する立設部３３を有する。
【００３０】
前記接地面部３２は、下葺折板１２の頂面１２ａの左右方向の幅と同等の幅を有し、前後方向の長さはそれよりも長い平面視長方形である。この接地面部３２の中央部には、上方へ凸に膨出加工部３４が形成され、その中央に、前記剣先ボルト１５を挿通する挿通孔３４ａが形成されている。この挿通孔３４ａの周囲の上面は、剣先ボルト１５に螺合する締め付けナット１６で締め付けられる被締め付け部３４ｂである。また、接地面部３２の前後方向の両端には、下葺折板１２の頂面１２ａに面接触する適宜大の延出部３５が一体に設けられている。この延出部３５の左右両側には、下葺折板１２の頂部の左右両側の傾斜に沿って斜め下に延びる傾斜片３５ａが形成されている。傾斜片３５ａは、固定時の回り止めと、固定状態の安定化に資するものである。
【００３１】
前記立設部３３は、鉛直上向きに真っ直ぐに延び、その先端に左右方向外側に向けて曲がる、差込部としての差込片３６を有する。差込片３６は前後方向に延び、前後方向の長さは、立設部３３の下部における前後方向の長さよりも短く設定されている。
【００３２】
立設部３３における前記差込片３６よりも下方位置には、この差込片３６と同様の差込片を差し込み可能な前後方向に延びる差込孔３７が形成されている。これら差込片３６と差込孔３７は平行である。
【００３３】
上金具４１は図３に示したように、金属板をプレス加工して得た左右一対、２個の本体部材４２と、これら本体部材４２の上部に挟持して保持される合成樹脂製の断熱部材４３を有する。
【００３４】
本体部材４２は、一対の本体部材４２同士で互いに当接し合う当接部４４を上下方向の中間に有する。当接部４４は上下方向に真っ直ぐな板状で、中央部に角孔４４ａが形成されている。この角孔４４ａにはボルト４５が挿通され、ボルト４５に対するナット４６の螺合で、前記当接部４４同士が、互いに当接し合うように締め付けられる。当接部４４より下の部分が、前記下金具３１の立設部３３と結合する結合脚部４７で、当接部４４より上の部分が、前記上葺折板１３を係止すべく係止部材を固定する係止部材固定部４８で、この部分に前記断熱部材４３を介して係止部材としての吊子２２が保持される。
【００３５】
前記結合脚部４７は、前記当接部４４の下端から左右方向外方に向けて水平に延びたのち下に垂れる、断面略横Ｌ字状をなし、前記下金具３１の差込片３６を差し込む差込孔４９と、下金具３１の差込孔３７に差し込まれる差込部としての差込片５０が形成されている。
【００３６】
差込片５０は、結合脚部４７の下端において左右方向内方に向けて折曲して形成される。差込片５０は前後方向に延び、前後方向の長さは、結合脚部４７の上部における前後方向の長さよりも短く設定されている。差込孔４９も同様に、結合脚部４７の上部における前後方向の長さよりも短く設定される。
【００３７】
上金具４１の結合脚部４７の差込孔４９および差込片５０及と、下金具３１の立設部３３の差込片３６および差込孔３７は、この発明の結合部に相当し、当接部４４同士が近接した時に図４に示したようにそれぞれ互いに係合し、全体として左右方向で噛み合う。これによって、下金具３１と上金具４１との間で上下方向での抜け止めがなされ、前後方向にも移動不可能な一体状態に結合されることになる。
【００３８】
前記係止部材固定部４８は、図３に示したように、前記当接部４４の上端から左右方向外方に向けて水平に延びたのち上に立ち上がる、断面略横Ｌ字状をなす。係止部材固定部４８の上端は、左右方向外方に向けて断熱部材４３の上端部を受ける受け片５１が折曲形成され、前記立ち上がる部分の前後方向両側部は、前記断熱部材４３を移動不可能に保持するために係合する適宜形状の切欠係合部５２を有する。また、立ち上がる部分の中央には、前記断熱部材４３を移動不可能に保持するとともに熱伝導を遮断するための遊嵌孔５３が形成されている。
【００３９】
前記断熱部材４３は、全体として略直方体状をなし、前記吊子２２を差し込み可能にすべく、左右方向の中間位置に前後方向に貫通する吊子保持溝５４を有する。上端部には、係止する上葺折板１３を受ける受け面５５が形成され、左右両側には、前記係止部材固定部４８が嵌まる嵌合凹部５６が形成され、この中央部分には、前記遊嵌孔５３に嵌まる円筒状の円筒状突起５７が形成されている。円筒状突起５７の中心部分には、断熱部材４３全体で左右方向に貫通するボルト挿入孔５８が設けられ、前記吊子２２を固定するためのボルト５９が挿入される。このボルト５９に螺合するナット６０は、断熱部材４３の上面から下に向けて形成されたナット収容ポケット６１に保持される。
【００４０】
前記吊子２２は、上端に馳部２３を有し、上下方向の中間部にボルト挿通孔２４（図４参照）を有する板状である。この吊子２２は、上端の馳形状が角に曲がる角馳形式のものでも、丸く湾曲する丸馳形式のもの（図２の仮想線参照）でも、その他のものでもいずれでもよい。前記吊子２２には周知のものが使用され、丸馳形式の吊子２２の場合には取付金具２１に対して予め保持され、角馳形式の吊子２２の場合には現場において取付金具２１に対して保持される。図５に、丸馳形式の吊子２２を用いた折板屋根１１の断面図を示す。
【００４１】
以上のような各部材で構成される取付金具２１は、次のように使用されることによって前記折板屋根１１を構成する。
【００４２】
まず、図６に示したように、タイトフレーム１４に下葺折板１２をのせて剣先ボルト１５が下葺折板１２の頂面１２ａから上に飛び出した状態にする。このあと、下金具３１を下葺折板１２の上に被せ、接地面部３２と延出部３５を下葺折板１２の頂面１２ａに面接触させる。このとき、接地面部３２に膨出加工部３４が形成されているので、接地面部３２と延出部３５は全体的に下葺折板１２の頂面１２ａに面接触する。
【００４３】
この状態を固定するため、膨出加工部３４の挿通孔３４ａから上に出る剣先ボルト１５に締め付けナット１６を螺合する。このとき、傾斜片３５ａが下金具３１の共回りを防止するので、締め付け作業は容易である。締め付けナット１６で締め付けを行うと、図７に示したように接地面部３２と延出部３５と傾斜片３５ａが、下葺折板１２の頂部に一体性高く強固に固定された状態となる。
【００４４】
次に、図８に示したように、下金具３１に対して上金具４１を固定する。固定は、上金具４１の本体部材４２の差込片５０を下金具３１の差込孔３７に差込み、上金具４１の本体部材４２の差込孔４９に下金具３１の差込片３６が差し込まれるように、左右方向に分離した状態の本体部材４２同士を左右方向から相互に接近させて閉じる。このとき、本体部材４２の係止部材固定部４８には断熱部材４３を挟み込む。
【００４５】
２個の本体部材４２で下金具３１を挟むようにしてボルト４５ナット４６で固定をすれば、差込片３６，５０と差込孔３７，４９の差込み状態が保持され、上金具４１は下金具３１に対して一体となる。
【００４６】
差込片３６，５０と差込孔３７，４９は、前後方向に長いので、上金具４１に対して前後方向に傾く力が作用しても、上金具４１と下金具３１の間で相対変位が起こることもなく、強固な一体性を得られる。しかも、平行な２組の差込片３６，５０と差込孔３７，４９が噛み合うので、一体性はきわめて高い。
【００４７】
最後に、下葺折板１２の上に断熱材（図示せず）を敷設したのち、上金具４１に保持した、又は予め保持された吊子２２を利用して、上葺折板１３を固定する。すると、図１、図４に示したような折板屋根１１（断熱二重折板屋根）を形成できる。
【００４８】
この折板屋根１１では、下金具３１が下葺折板１２を固定している剣先ボルト１５に対して、その根元に近い位置で固定されるとともに、下葺折板１２の頂部に対して面接触している。しかも面接触する接地面部３２と延出部３５は締め付けナット１６によって直接積極的に固定されている。また、締め付けナット１６が締め付ける被締め付け部３４ｂは、接地面部３２の中央部に形成されているので、安定した均等な固定状態が容易に得られる。
【００４９】
このため、剣先ボルト１５に長ナットを螺合して固定する従来の固定構造に比して、下葺折板１２に対する一体性が極めて高いので、上葺折板１３の伸縮によって絶えず負荷がかかっても、剣先ボルト１５のみに過負荷をかけずに前後方向に長い広い面積で全体的に荷重を支える。したがって固定強度が高く、この結果、剣先ボルト１５に金属疲労が起こるのを抑制でき、台風等で大きな負圧がかかった場合でも、容易には捲れ上がったり飛散したりしない強固な折板屋根となる。
【００５０】
そのうえ、下金具３１の固定は締め付けナット１６を締め付けるだけでよいので、極めて容易であり、複数本のセルフドリルビスで固定する従来の場合に比して、作業は簡易迅速に行える。
【００５１】
また、下金具３１と上金具４１は別部材であるが、前記差込片３６，５０と差込孔３７，４９とからなる結合部によって、左右方向で噛み合って上下方向での抜け止めがなされるので、正圧にはもちろんのこと、負圧に対しても強い取付金具２１となる。しかも、前記結合部は、左右方向に分離した状態の本体部材４２を閉じると、上下方向は勿論のこと前後方向にも抜け止めできる構造であるので、結合作業は容易である。
【００５２】
加えて、その結合部は差込片３６，５０と差込孔３７，４９で構成されているので、立設部３３と結合脚部４７の構造が簡素であって、製造も容易である。
【００５３】
さらに、取付金具２１の上金具４１には断熱部材４３が備えられ、この断熱部材４３が上葺折板１３から下葺折板１２への熱伝導を遮断するので、温度変動による上葺折板１３の伸縮と同様に下葺折板１２が伸縮するのを抑制できる。この結果、下葺折板１２を固定しているタイトフレーム１４に金属疲労が生じたりすることを抑えられ、飛散などの起きないより堅固な折板屋根を得られる。
【００５４】
以下、取付金具２１のその他の例について順次説明する。この説明において、その説明より先に説明した構成と同一又は同等の部位については同一の符号を付してその詳しい説明を省略する。
【００５５】
図９〜図１１は、結合部を一組の差込部と差込孔で構成した取付金具２１の例を示す。図９は取付金具２１の斜視図、図１０は折板屋根１１の取付金具２１部分での断面図、図１１は下金具３１に上金具４１を取り付けるときの状態を示す分解斜視図である。
【００５６】
この取付金具２１は、図１１に示したように、下金具３１の立設部３３と上金具４１の本体部材４２の結合脚部４７は、基本的に前記例のそれらと同様の形態である（図３参照）。すなわち、立設部３３の上端に差込部としての差込片３６を有する。しかし差込孔は有しない。差込片３６の前後方向両外方には、上金具４１の本体部材４２における結合脚部４７の上部を受ける受け片３３ａが形成されている。受け片３３ａは、真っ直ぐ上に延びている。
【００５７】
一方の結合脚部４７は、下金具３１の差込片３６を差し込み可能な差込孔４９が形成されており、差込片を有しない。
【００５８】
このように構成された取付金具２１では、下葺屋根１２の頂部に対して固定した下金具３１に対して、左右に分離した一対の本体部材４２で挟み込むように合わせると、図９、図１０に示したように、差込片３６と差込孔４９の嵌合によって下金具３１と上金具４１は一体に結合される。結合部が一組の差込片３６と差込孔４９で構成されているので、結合作業は、二組ある場合よりもより簡単である。
【００５９】
また、結合時において、前記受け片３３ａは結合脚部４７を支持し、立設部３３と結合脚部４７は重合状態であるので、結合部が一組の差込片３６と差込孔４９とからなるものであっても結合強度は高く、前記と同様の効果を得られる。
【００６０】
なお、上金具４１の本体部材４２における結合脚部４７の下端には、下葺折板１２の頂部の傾斜面に接地する脚部（図示せず）が形成されていてもよい。また、下金具３１に差込孔を形成し、上金具４１の本体部材に差込部（差込片３６）を形成したものであってもよい。
【００６１】
図１２〜図１４は、結合部の結合がより簡単に行えるように構成した取付金具２１の例を示す。図１２は取付金具２１の斜視図、図１３は折板屋根１１の取付金具２１部分での断面図、図１４は下金具３１に上金具４１を取り付けるときの状態を示す分解斜視図である。
【００６２】
この取付金具２１の下金具３１は、接地面部３２と延出３５を有し、接地面部３２の両側から立設部３３が形成されている。この立設部３３の上端には、左右方向内方に曲がる受け片３３ｂが形成されている。この受け片３３ｂは、上金具４１を結合した時に本体部材４２の結合脚部４７の上部を受ける部分である。受け片３３ｂにおける膨出加工部３４の上方位置には、締め付けナット１６を螺合する作業領域を確保するために切欠部３３ｃが形成されている。
【００６３】
そして、立設部３３の上下方向の中間位置には、前後方向に延びる差込孔３７が形成されている。この差込孔３７は、前記例の差込孔３７とは異なり、１枚の金属板からなる差込片の差込みに必要な高さよりも大きく形成されている。
【００６４】
上金具４１の結合脚部４７における前記差込孔３７に対応する部分には、断面略横レ字状に折曲形成された差込部７１が設けられている。具体的には、この差込部７１は図１３に示したように、上部が左右方向内方に向けて水平に延び（水平部７１ａ）、その先端から外方斜め下に向けて延びる（傾斜部７１ｂ）形状で、これら水平部７１ａと傾斜部７１ｂが前記差込孔３７に差し込まれることになる。傾斜部７１ｂの下端からは、下金具３１の差込孔３７より下の外側面に重なる重合部４７ａが延設されている。
【００６５】
このように構成された取付金具２１では、下葺屋根１２の頂部に対して固定した下金具３１に対して、左右に離反した状態の一対の本体部材４２で挟み込むときには、本体部材４２を大きく広げて完全に分離せずとも、一対の本体部材４２をボルト４５で一体にした状態のまま適宜広げて上から下金具３１に被せるようにして、ボルト４５ナット４６を締めれば、結合できる。すなわち、本体部材４２の傾斜片７１ｂが下金具３１の立設部３３の上端部を滑るので、断熱部材４３やボルト４５を分離せずとも、差込部７１を差込孔３７に対して差し込むことが容易にできる。
【００６６】
また、結合時において、前記受け片３３ｂは結合脚部４７を支持し、立設部３３と結合脚部４７は重合状態であるので、結合部が一組の差込部７１と差込孔３７とからなるものであっても結合強度は高く、前記と同様の効果を得られる。
【００６７】
なお、下金具３１に差込部を形成し、上金具４１の本体部材４２に差込孔を形成したものであってもよい。
【００６８】
図１５〜図１７も、結合部の結合がより簡単に行えるように構成した取付金具２１の例を示す。図１５は取付金具２１の斜視図、図１６は折板屋根１１の取付金具２１部分での断面図、図１７は下金具３１に上金具４１を取り付けるときの状態を示す分解斜視図である。
【００６９】
この取付金具２１の下金具３１は、窓状に切り抜いた構造ではない差込孔３７を有する。すなわち、差込孔３７は、立設部３３の前後方向の両側部分の２箇所に、上下方向に延びるスリット３８を形成し、これらスリット３８間の部分を左右方向内方に向けて、断面略つ字状に打ち出して形成されている。打ち出される部分の内側が前記差込孔３７であり、本体部材４２を構成する金属板１枚が入る高さを有する。つまり、差込孔３７は、左右方向内方に奥行きをもった構造である。
【００７０】
なお、前記のように内方に張り出す形状の差込孔３７を有する構造であるので、締め付けボルト１６の螺合作業のための領域を確保すべく、接地面部３２の幅は図１６に示した如く、下葺折板１２の頂面１２ａの幅よりも若干幅広に形成される。
【００７１】
上金具４１の結合脚部４７における前記差込孔３７に対応する下端部分には、左右方向内方に向けて断面略レ字状に折曲形成された差込部としての差込片５０が設けられている。つまり差込片５０の下端は、内方ほど上がり外方ほど下がるように傾斜している。
【００７２】
このように構成された取付金具２１では、図１２〜図１４に示した取付金具２１の場合と同様、下葺屋根１２の頂部に対して固定した下金具３１に対して、左右に離反した状態の一対の本体部材４２で挟み込むときには、本体部材４２を大きく広げて完全に分離せずとも、一対の本体部材４２をボルト４５で一体にした状態のまま適宜広げて上から下金具３１に被せるようにして、ボルト４５ナット４６を締めれば、結合できる。すなわち、本体部材４２の差込片５０の下面が下金具３１の立設部３３の上端部を滑るので、断熱部材４３やボルト４５を分離せずとも、差込片５０を差込孔３７に対して差し込むことが容易にできる。
【００７３】
また、結合時において、前記受け片３３ｂは結合脚部４７を支持し、立設部３３と結合脚部４７は重合状態であるので、結合部が一組の差込片５０と差込孔３７とからなるものであっても結合強度は高く、前記と同様の効果を得られる。
【００７４】
なお、下金具３１に差込部を形成し、上金具４１の本体部材４２に差込孔を形成したものであってもよい。
【００７５】
図１８〜図２３は、下金具に対して上金具を前後方向から差し込んだ時に結合部が結合する構造の取付金具２１の例を示す。図１８は取付金具２１の斜視図、図１９は折板屋根１１の取付金具２１部分での断面図、図２０は下金具３１に上金具４１を取り付けるときの状態を示す分解斜視図、図２１は上金具の分解斜視図、図２２は本体部材の斜視図、図２３は上金具を下金具に対して差し込むときの作用状態を示す側面図である。
【００７６】
この取付金具２１における下金具３１の立設部３３と上金具４１の結合脚部４７は、図２０、図２３に示したように、前後方向全体にわたって同一の断面形状を有する。
【００７７】
下金具３１の立設部３３は、上端に左右方向内方へ曲がる受け片３３ｂを有し、上下方向中間位置に、左右方向内方に突出する凹溝としてのレール溝部７２を有する。レール溝部７２は断面つ字状をなし、本体部材４２を構成する金属板１枚が入る隙間をもつ。
【００７８】
上金具４１の結合脚部４７は、その下端部分に、左右方向内方に向けて断面略レ字状に折曲形成された凸部としての差込片５０が設けられている。
【００７９】
このようなレール溝７２と差込片５０を有するので、結合脚部４７と立設部３３は、前後方向からの差込みにより互いに嵌まり合う。つまり、左右方向に噛み合って上下方向での抜け止めがなされる。しかし、前後方向には抜けるため、上金具４１には、噛み合った状態を保持するためのロック部材７３を備える。
【００８０】
ロック部材７３は、１枚の金属板をプレス加工して構成され、本体部材４２同士を結合するボルト４５によって、本体部材４２に対して予め一体に保持される。図２１に示したように、ロック部材７３は前後方向に延びる細長い板状をなし、本体部材４２の結合脚部４７の上面に接地する下端の接地縁７３ａは水平に形成される一方で、上端は、中間部ほど高くなり端部側ほど低くなるように傾斜している。そして、高さの最も高い中間部には、縦に長い長孔７３ｂが形成されている。また両端には、前記接地縁７３ａよりも下に下がって、左右方向の一方に曲がったストッパ部７３ｃが形成されている。ストッパ部７３ｃの下面は、前後方向外方ほど高くなるように傾斜している。
【００８１】
このロック部材７３を保持する前記ボルト４５は、図２０に示したように二段の段差を有したボルトで、大径部分４５ａと小径部分４５ｂとに雄ねじが形成されている。すなわち、大径部４５ａに螺合するナット４６は、本体部材４２同士の結合状態を保持する。ロック部材７３は、大径部４５ａにおけるナット４６よりも端部側に、その長孔７３ｂが挿嵌され、小径部４５ｂに螺合するナット７４で抜け止めされる。前記長孔７３ｂは小径部４５ｂよりも大きく、遊びを持たせて形成されている。このため、ロック部材７３は、前記ナット７４を締め付けても上下動可能で、前後方向への傾動も適宜可能な状態となる。
【００８２】
なお、図２２に示したように、上金具４１を構成する本体部材４２の当接部４４には、互いに係合し合う係合凸部４４ｂと係合凹部４４ｃを有する。これら係合凸部４４ｂと係合凹部４４ｃは、角孔４４ａを挟んで前後方向両側に設けられる。これらを設けることによって、本体部材４２同士の位置ずれを防止でき、下金具３１のレール溝部７２に対する差込みを確保できる。
【００８３】
このように構成された取付金具２１では、上金具４１を構成する各部材はあらかじめ一体に組みつけておく。そして、下葺屋根１２の頂部に対して下金具３１を固定した後、図２０、図２３に示したように、上金具４１の結合脚部４７を下金具３１の立設部３３に対して前方または後方から差し込む。このとき、図２３に仮想線で示したように、上金具４１のロック部材７３は、上動し、また前後方向に傾くので、前記ストッパ部７３ｃの下面が傾斜していることと相俟って、前記差込みは許容される。
【００８４】
立設部３３と結合脚部４７の全体が前後方向で重なり合うと、下金具３１に対する上金具４１の差込みが完了し、ロック部材７３がストッパ部７３ｃの重みもあって降下する。ロック部材７３が下がると、ストッパ部７３ｃが下金具３１の立設部３３の端部に当接して、前後方向での抜け止めがなされる。
【００８５】
このように、下金具３１に対する上金具４１の結合に際して、現場においてはナットを締める必要はなく、また高所作業でもナットを落としたりすることもないので、結合作業はいたって簡単である。
【００８６】
また、レール溝部７２と差込片５０が前後方向全体にわたって噛み合っているので、ロック部材７３は左右方向の一方にあれば十分に抜け止め作用が得られる。また、結合状態も強固であって、前記と同様の効果を得られる。
【００８７】
なお、上金具４１は、前記ボルト４５に代えてリベットで組み立てられたものであってもよい。
【００８８】
また、下金具３１に対する上金具４１の差込みが容易になるように、立設部３３または結合脚部４７における前後方向の一方の端部をその他の部分よりも大きく又は小さく形成してもよい。
【００８９】
図２４〜図２６も、下金具に対して上金具を前後方向から差し込んだ時に結合部が結合する構造の取付金具２１の例を示す。図２４は取付金具２１の斜視図、図２５は折板屋根１１の取付金具２１部分での断面図、図２６は下金具３１に上金具４１を取り付けるときの状態を示す分解斜視図である。
【００９０】
この取付金具２１における下金具３１の立設部３３の上端には、図２４、図２５に示したように受け片３３ｂを有し、この受け片３３ｂの左右方向外方の端には、左右方向外方斜め下に向けて延びる凸部としての差込片３６が形成されている。立設部３３は１枚の金属板で構成されるので、立設部３３の上端部で金属板が二重になるように折り返して前記差込片３６を形成し、その先に前記受け片３３ｂが形成される。
【００９１】
この受け片３３ｂの前後方向の中間部には切欠部３３ｃが形成されている。また左右一対の受け片３３ｂにおける対角線上の２箇所に、上下方向に貫通する貫通孔３３ｄが形成されている。
【００９２】
上金具４１の本体部材４２における結合脚部４７は、当接部４４の下端から左右方向外方に向けて水平に延びたのち、その先を外方斜め下に延設し、先端縁を断面つ字状に折曲した形状である。この先端縁の内側が凹溝としてのレール溝部７５であって、下金具３１の前記差込み片３６と嵌合する。
【００９３】
また、結合脚部４７の上部であって前記下金具３１の貫通孔３３ｄに対応する位置には、貫通孔４７ｂが形成されている。この貫通孔４７ｂは下金具３１貫通孔３３ｄよりも若干大きめに形成される。これら貫通孔４７ｂ，３３ｄは、下金具３１に対する上金具４１の差込み状態保持のために、上下方向に長い形状で、下端が細く上端がＬ字状に折曲された別部材のロックピン７６を、上金具４１側から差し込むための部分である。上に位置する結合脚部４７の貫通孔４７ｂの方が大きいので、ロックピン７６の差込み作業は容易である。
【００９４】
このように構成された取付金具２１では、上金具４１を構成する各部材はあらかじめ一体に組みつけておく。そして、下葺屋根１２の頂部に対して下金具３１を固定した後、図２６に示したように、上金具４１の結合脚部４７を下金具３１の立設部３３に対して前方または後方から差し込む。そして、立設部３３と結合脚部４７の全体が前後方向で重なり合ったところで、上金具４１の貫通孔４７ｂからロックピン７６を下に向けて差し込む。ロックピン７６の差込みは、２個の貫通孔４７ｂのうちのいずれか一方でよい。すると、ロックピン７６が下金具３１の貫通孔３３ｄにも差し込まれ、下金具３１に対する上金具４１の前後方向での抜け止めがなされる。
【００９５】
このように、下金具３１に対する上金具４１の結合に際して、現場においてナットを締める必要はなく、単にロックピン７６を差し込むだけで良いので、結合作業は簡単である。
【００９６】
また、レール溝部７５と差込片３６が前後方向全体にわたって噛み合っているので結合状態も強固であって、前記と同様の効果を得られる。
【００９７】
なお、下金具３１に対して上金具４１を差し込んだときに、立設部３３と結合脚部４７の全体が前後方向で重なり合った時点で位置決めできるようにするため、図２４に仮想線で示したごとく、下金具３１の受け片３３ｂの端部に、上方へ折曲形成されるストッパ３３ｅを備えてもよい。
【００９８】
図２７〜図２９も、下金具に対して上金具を前後方向から差し込んだ時に結合部が結合する構造の取付金具２１の例を示す。図２７は取付金具２１の斜視図、図２８は折板屋根１１の取付金具２１部分での断面図、図２９は下金具３１に上金具４１を取り付けるときの状態を示す分解斜視図である。
【００９９】
この取付金具２１における下金具３１の立設部３３は、上端に、左右方向外方に向けて水平に延びる受け片３３ｂを有し、この先端側に左右方向外方ななめ下に延びてその先を左右方向内方に向けて水平に曲げる凸部としての差込片３６を有した形状である。この差込片３６の斜め下に傾斜する部分の前後方向の一端側には、図２９に示したように、係止用切欠部３６ａが形成されている。係止用切欠部３６ａは、上部側において前後方向に延びる導入部３６ｂと、この導入部３６ｂの先端から下方に延びる留置部３６ｃを有する正面視略横Ｌ字状である。
【０１００】
上金具４１における本体部材４２の結合脚部４７は、下金具３１の立設部３３における受け片３３ｂと差込片３６を包み込む形状に形成され、内側部分が凹溝としてのレール溝部７５である。そしてこの結合脚部４７の斜め下に延びる部分であって下金具３１の係止用切欠部３６ａの留置部３６ｃに対応する位置には、上下方向に長い長孔４７ｃが形成されている。
【０１０１】
この長孔４７ｃには、ロックピン７６が上下動可能に保持されている。図２８中、７６ａはロックピン７６の軸部分よりも大径の頭部、７６ｂはＥリング等で構成される抜け止め部材である。
【０１０２】
このように構成された取付金具２１では、上金具４１を構成する各部材はあらかじめ一体に組みつけておく。そして、下葺屋根１２の頂部に対して下金具３１を固定した後、図２９に示したように、上金具４１の結合脚部４７を下金具３１の立設部３３に対して前後方向の一方から差し込む。このとき、ロックピン７６は長孔４７ｃ内を上に上げておく。上金具４１の差込みによって、立設部３３と結合脚部４７の全体が前後方向で重なり合ったところで、ロックピン７６は係止用切欠部３６ａの導入部３６ｂの端部に位置して、それ以上の差込みが不可能となるので、ロックピン７６を下に下げれば、ロックピン７６は係止用切欠部３６ａの留置部３６ｃに収まり、ロックピン７６が安定する。すると、下金具３１に対する上金具４１の前後方向での抜け止めがなされる。
【０１０３】
このように、下金具３１に対する上金具４１の結合に際して、現場においてナットを締める必要はなく、一体に備えられているロックピン７６を操作するだけでよいので、高所作業でも部材の紛失などを防止でき、結合作業はいたって簡単である。
【０１０４】
また、レール溝部７５と差込片３６が前後方向全体にわたって噛み合っているので結合状態も強固であって、前記と同様の効果を得られる。
【０１０５】
図３０、図３１は、吊子が前後方向に移動できるようにした構造の取付金具２１の例を示す。図３０は取付金具２１の斜視図、図３１は折板屋根１１の取付金具２１部分での断面図である。
【０１０６】
この取付金具２１は、上金具４１に保持される吊子２２のみが断熱部材４２内で前後方向に移動可能である。吊子２２はボルト５９を挿通するボルト挿通孔２４が、図３０に破線で示したように前後方向に長い長孔で構成されている。また、このボルト挿通孔２４の他に吊子２２の上方への抜け止め機能を果たす２枚の抜け止め片２５，２６が、上部と下部に、左右に分けて形成されている。
【０１０７】
断熱部材４３の吊子保持溝５４は、前記のような形状の吊子２２を保持可能なように、吊子保持溝５４の上部と下部に、前記抜け止め片２５，２６と係合する抜け止め片係合溝５４ａ，５４ｂを有する。また、断熱部材４３の下端には、前後方向の全体にわたって被挟持片７７が垂設されている。この被挟持片７７は本体部材４２間に挟まれる部分で、ボルト６５を挿通する挿通孔７７ａを有する。
【０１０８】
このほかの構造は、前記図１〜図４に示した取付金具２１と同じである。
【０１０９】
この取付金具２１では、日差しによる温度変動で上葺折板１３が伸縮しても、吊子２２がそれに追従して歪みを吸収する。このため、上葺折板１３の伸縮が下葺折板１２に影響を与えることを抑えることができる。この結果、剣先ボルト１５に負荷がかかるのを抑制でき、この点からも剣先ボルト１５に金属疲労が発生するのを防止して、不測の飛散などが起きない堅固な折板屋根１１を得られる。
【０１１０】
このように上葺折板１３の伸縮を吸収する構成は、吊子２２と断熱部材４３等の形状を変更することで、前記例のいずれの構造の取付金具２１にでも適用できる。
【０１１１】
なお、下金具３１に対して上金具４１を差し込んで結合させる構造の取付金具２１では、これら下金具３１と上金具４１の間で摺動するようにしても、上葺折板１３の伸縮による歪みを吸収できるようにすることが可能である。
【０１１２】
この発明の構成と、前記一形態の構成との対応において、  
この発明の係止部材は、吊子２２に対応し、  
以下同様に、  
差込部は、図８、図１１、図１７の前記差込片３６、図１４の差込部７１に対応し、  
凹溝は、レール溝部７２，７５に対応し、  
凸部は、図２０、図２６、図２９の差込片３６，５０に対応し、
ロック部材は、ロック部材７３、ロックピン７６に対応し、
延設部は、延出部３５に対応するも、  
この発明は前記の構成のみに限定されるものではなく、その他の構成を採用することができる。
【０１１４】
また、断熱部材を省略してもよく、断熱部材は上金具と下金具の間に介装した構造を採用してもよい。
【０１１５】
さらに、係止部材の前後方向の移動は、上金具と下金具との間で行うようにしてもよい。
【符号の説明】
【０１１６】
１１…折板屋根
１２…下葺折板
１３…上葺折板
１５…剣先ボルト
１６…締め付けナット
２１…屋根板取付金具
２２…吊子
３１…下金具
３２…接地面部
３３…立設部
３３ｄ…貫通孔
３４…膨出加工部
３４ａ…挿通孔
３４ｂ…被締め付け部
３５…延出部
３６…差込片
３７…差込孔
４１…上金具
４３…断熱部材
４７…結合脚部
４７ｂ…貫通孔
４８…係止部材固定部
４９…差込孔
５０…差込片
７１…差込部
７２，７５…レール溝部
７３…ロック部材
７６…ロックピン
【要約】
【課題】タイトフレームの剣先ボルトに固定される下葺折板上に取り付けられて上葺折板を支持する屋根板取付金具において、固定強度を確保して折板屋根の飛散等を防止できるようにする。
【解決手段】剣先ボルト１５と締め付けナット１６で固定される下葺折板１２の頂部に載置される下金具３１と、下金具３１に結合されて上葺折板１３を支持する上金具４１を有する屋根板取付金具２１であって、下金具３１が、下葺折板１２の頂部に面接触して締め付けナット１６で固定される接地面部３２と、接地面部３２の左右両側から上方に立設する立設部３３を有し、接地面部３２の前後方向の両端には、下葺折板１２の頂部に面接触する延設部３５が形成される。上金具４１は、立設部３３と結合する結合脚部４７を備える。これら立設部３３と結合脚部４７に、左右方向で噛み合って上下方向で抜け止めをする差込片３６，５０と差込孔３７，４９が形成された屋根板取付金具２１。
【選択図】図４【図１】
0004740392.tif 000002
【図２】
0004740392.tif 000003
【図３】
0004740392.tif 000004
【図４】
0004740392.tif 000005
【図５】
0004740392.tif 000006
【図６】
0004740392.tif 000007
【図７】
0004740392.tif 000008
【図８】
0004740392.tif 000009
【図９】
0004740392.tif 000010
【図１０】
0004740392.tif 000011
【図１１】
0004740392.tif 000012
【図１２】
0004740392.tif 000013
【図１３】
0004740392.tif 000014
【図１４】
0004740392.tif 000015
【図１５】
0004740392.tif 000016
【図１６】
0004740392.tif 000017
【図１７】
0004740392.tif 000018
【図１８】
0004740392.tif 000019
【図１９】
0004740392.tif 000020
【図２０】
0004740392.tif 000021
【図２１】
0004740392.tif 000022
【図２２】
0004740392.tif 000023
【図２３】
0004740392.tif 000024
【図２４】
0004740392.tif 000025
【図２５】
0004740392.tif 000026
【図２６】
0004740392.tif 000027
【図２７】
0004740392.tif 000028
【図２８】
0004740392.tif 000029
【図２９】
0004740392.tif 000030
【図３０】
0004740392.tif 000031
【図３１】
0004740392.tif 000032